(57)【要約】【課題】竪格子手摺に於いて該竪格子を支持固定するための支柱が、目立たず、連続した竪格子手摺に見えるマンション等に於ける竪格子手摺を提供する。【解決手段】支柱２ａの見付寸法Ｐｗと竪格子３ａの見付寸法Ｂｗは近似または同一寸法の部材を選別して配列し、該竪格子３ａの見込み寸法Ｂｄは前記見付寸法Ｂｗより小さい平角形状となし、該竪格子３ａの見付面６は前記支柱２ａの見付面７に限りなく近づけるよう支柱２ａが支持する笠木１と下枠４間で偏芯させて挟持固定し、前記竪格子３ａを挟持固定する割付ピッチは前記支柱２ａをも含めた均等割付とする構成とした。【選択図】  図３
2004316236.tif 000002
【特許請求の範囲】
【請求項１】
芯納まりの竪格子手摺に於いて、支柱の見付寸法と竪格子の見付寸法は近似または同一寸法の部材を選別して配列し、該竪格子の見付面は前記支柱の見付面に限りなく近づけるよう支柱が支持する笠木と下枠間で挟持固定したことを特徴とするマンション等に於ける竪格子手摺。
【請求項２】
前記竪格子の見込み寸法が前記見付寸法より小さく平角形状としたこと、
を特徴とする請求項１記載のマンション等に於ける竪格子手摺。
【請求項３】
前記竪格子の見付面が、前記支柱の見付面に限りなく近づけるよう支柱が支持する笠木と下枠間で偏芯させて挟持固定し、前記竪格子を挟持固定する割付ピッチは前記支柱をも含めた均等割付としたこと、
を特徴とする請求項１又は２記載のマンション等に於ける竪格子手摺。
【請求項４】
芯納まりの竪格子手摺に於いて、支柱の見付寸法と竪格子の見付寸法は近似または同一寸法の部材を選別して配列し、該竪格子の見込み寸法は前記見付寸法より小さい平角形状となし、該竪格子の見付面は前記支柱の見付面に限りなく近づけるよう支柱が支持する笠木と下枠間で偏芯させて挟持固定し、前記竪格子を挟持固定する割付ピッチは前記支柱をも含めた均等割付となし、前記下枠の屋外側見付面に嵌着可能な化粧カバー材を設け、該化粧カバー材を下枠全面に嵌着することにより前記支柱と下枠が交差する部分を含め下枠を支柱に対して横通し構造とすること、
を特徴とするマンション等に於ける竪格子手摺。
【発明の詳細な説明】
【０００１】
【発明の属する技術分野】
本発明はマンション等のバルコニー手摺や廊下手摺に用いられる芯納まりの竪格子手摺に関するものであり、特に本発明の竪格子手摺はマンション等のバルコニー手摺や廊下手摺に用いられ、建物の外部側より見ると、支柱と格子が連続して見える芯納まりの竪格子手摺を提供するものである。
【０００２】
【従来の技術】
マンション等のバルコニーや廊下の外部側縁部に、適当な間隔をおいて支柱を立設し該支柱に連続した竪格子ユニットを或る長さを持って設ける竪格子手摺の従来例として、特開２０００−２２０２０４号が知られている。
【０００３】
上記従来例の概要を図７乃至図９にて説明すると、図７は従来例を屋外側より見た正面図、図８は側断面面図、図９は平断面図である。
【０００４】
本従来例の竪格子手摺は、笠木５０と、支柱５１と、竪格子ユニット５２からなる手摺であって、前記竪格子ユニット５２の上部には笠木５０が設けられており、該笠木５０はジョイント５３を介してそれぞれの支柱５１に連接されている。
【０００５】
即ち、支柱５１の上端にジョイント５３を接合して、該ジョイント５３の上端に笠木５０を掛け渡し、笠木５０の下面の取付面部の屋外側に竪格子ユニット５２の上部を固定し、該竪格子ユニット５２の下部を支柱５１の下部にブラケット５４を介して固定している。
【０００６】
上記竪格子ユニット５２は、笠木５０に嵌着可能なアルミ形材である上横桟５５と下横桟５６間に、断面が□字状のアルミ形材である格子部材５７を挟持、固定して上下部分でビス止め固定している。
【０００７】
本従来例における竪格子ユニット５２は、下部においてはブラケット５４を介して支柱５１に取り付けられるが、上部は笠木５０に嵌着、固定されるで、施工が簡略化される竪格子手摺であり、前記笠木５０と竪格子ユニット５２が支柱５１から屋外側に位置している持ち出しタイプの竪格子手摺を構成している。
【０００８】
然しながら、従来例の持ち出しタイプ竪格子手摺においては、屋外側に設置される竪格子ユニット５２の製作、施工は簡単に出来るが、建物の外観として前記手摺を見ると、竪格子ユニット５２を支持している支柱５１の両側端部５８ａ、５８ｂ（図７に示す）が、格子部材５７の隙間より見えるために、該支柱５１と格子部材５７の重なり合った部分が太い支柱に見えて目立ってしまい、等間隔で連続して見えるはずの竪格子手摺の意匠を台無しにしてしまっている。
【０００９】
この現象は、水平荷重、垂直荷重を配慮して設計される高さ１１００ｍｍ程のアルミ製手摺において、竪格子ユニット５２を支持固定するための支柱５１間の距離が通常１０００〜１２００ｍｍと比較的短い間隔をおいて立設せざる得ないとの事情とも重なり合って、持ち出しタイプの竪格子手摺の意匠的な最大の欠点となってきた。
【００１０】
また、上記持ち出しタイプの竪格子手摺は、笠木５０の屋内側縁部より、ジョイント５３及び支柱５１が、どうしても屋内側に突出する構成となるため、該突出するジョイント５３及び支柱５１は、バルコニーや廊下の利用者にとって目障りな障害物になっている。
【００１１】
【発明が解決しようとする課題】
斯くして、本発明は、上述の点に鑑みてなされたもので、竪格子手摺に於いて該竪格子を支持固定するための支柱が、目立たず、連続した竪格子手摺に見えるマンション等に於ける竪格子手摺を提供するものである。
【００１２】
また、本発明は、上記笠木及び竪格子ユニットを支柱の中心線上に配置する芯納まりの手摺として構成し組み立てることにより、前記笠木の屋内側縁部よりジョイントや支柱を屋内側に障害物として突出させることがなく、更に新しい竪格子の組立構成を採用することにより屋内側に位置するバルコニーや廊下側の空間を広く構成するマンション等に於ける竪格子手摺を提供することを目的としている。
【００１３】
【課題を解決するための手段】
本発明は上記目的を解決するために、芯納まりの竪格子手摺に於いて、支柱の見付寸法と竪格子の見付寸法は近似または同一寸法の部材を選別して配列し、該竪格子の見付面は前記支柱の見付面に限りなく近づけるよう支柱が支持する笠木と下枠間で挟持する構成とした。
【００１４】
また、本発明は、芯納まりの竪格子手摺に於いて、支柱の見付寸法と竪格子の見付寸法は近似または同一寸法の部材を選別して配列し、該竪格子の見込み寸法は前記見付寸法より小さく平角形状となし、該竪格子の見付面は前記支柱の見付面に限りなく近づけるよう支柱が支持する笠木と下枠間で挟持固定する構成とした。
【００１５】
更に、本発明は、芯納まりの竪格子手摺に於いて、支柱の見付寸法と竪格子の見付寸法は近似または同一寸法の部材を選別して配列し、該竪格子の見込み寸法は前記見付寸法より小さい平角形状となし、該竪格子の見付面は前記支柱の見付面に限りなく近づけるよう支柱が支持する笠木と下枠間で偏芯させて挟持固定し、前記竪格子を挟持固定する割付ピッチは前記支柱をも含めた均等割付とする構成とした。
【００１６】
本発明は、上記構成とすることにより、マンション等のバルコニーや廊下手摺に用いられ、建物外部側より見ると、竪格子を支持固定するための支柱が、目立たず、支柱と竪格子が連続して見える竪格子手摺を提供するものである。
【００１７】
また本発明は、笠木及び下枠を支柱の中心線上に配置する、芯納まりの手摺構成とすることにより、従来例の如く、笠木の屋内側縁部よりジョイントや支柱を屋内側に突出する障害物がなくなり、バルコニーや廊下側空間を有効に使用できる竪格子手摺を提供する。
【００１８】
更に、本発明は、竪格子部材として平角形状部材を用い、該平角形状部材の大寸法側を見付面側として用い、小寸法側を見込み面として用いて、前記笠木と下枠間で挟持する際に、該竪格子の見付面を支柱の見付面に限りなく近づけるように前記笠木と下枠間で屋外側に偏芯させて挟持、固定することにより、バルコニーや廊下側を広く設定出来る竪格子手摺を提供するものである。
【００１９】
また、本発明は実施例２として、下記の構成を提供するものである。
【００２０】
即ち、本発明の実施例２として、支柱の見付寸法と竪格子の見付寸法は近似または同一寸法の部材を選別して配列し、該竪格子の見込み寸法は前記見付寸法より小さい平角形状となし、該竪格子の見付面は前記支柱の見付面に限りなく近づけるよう支柱が支持する笠木と下枠間で偏芯させて挟持固定し、前記竪格子を挟持固定する割付ピッチは前記支柱をも含めた均等割付とする。
【００２１】
そして、前記下枠の屋外側見付面に嵌着可能なカバー材を設け、該カバー材を下枠全面に嵌着することにより前記支柱と下枠が交差する部分を含め下枠を支柱に対して横通し構造とすることを特徴とするマンション等に於ける竪格子手摺を提供する。
【００２２】
斯くして、上記本発明の実施例に於いては、建物の屋外側より見る竪格子手摺は支柱が目立たない連続した竪格子を有した手摺を提供でき、該竪格子手摺は、従来例の如く、笠木の屋内側縁部よりジョイントや支柱等の障害物を屋内側に突出することがなく、バルコニーや廊下側空間を有効に使用できる。
【００２３】
更に、本実施例に於いても、竪格子部材として平角形状部材を用い、該平角形状部材の大寸法側を見付面に用い、小寸法側を見込み面として用いて、前記笠木と下枠間で挟持する際に、該竪格子の見付面を支柱の見付面に限りなく近づけるように前記笠木と下枠間で屋外側に偏芯させて挟持、固定することにより、バルコニーや廊下側を広く設定出来る竪格子手摺を提供するものである。
【００２４】
【発明の実施の形態】
【実施例１】
本発明の実施例１について、図１乃至図４を参照して詳説する。図１は実施例１を示す正面図、図２は図１の側断面図、図３は図２の拡大側断面図、図４は図１に於ける要部平断面断面拡大図を示している。
【００２５】
図１乃至図４において、１は笠木、２ａ、２ｂ、２ｃ・・・は支柱、３ａ、３ｂ、３ｃ・・・は竪格子、４は下枠、５はバルコニー等のコンクリートスラブを示している。
【００２６】
而して、竪格子手摺を支持する支柱２ａ、２ｂ、２ｃ・・・はバルコニーや廊下等のスラブ５外部側縁部に適宜な間隔をもって立設されており、該支柱２ａ、２ｂ、２ｃ・・・の上端部には、笠木１が装架され、それぞれの支柱２ａ、２ｂ、２ｃ・・・の頭部に笠木１が連接、固着された形状で連続した手摺の構造を形成している。
【００２７】
前記竪格子３ａ、３ｂ、３ｃ・・・の形状は平角形状の部材であり、該竪格子３ａ、３ｂ、３ｃ・・・は幅広部の見付面６として使用する。また、竪格子３ａ、３ｂ、３ｃ・・・の見付面６は前記支柱２の見付面７上に限りなく近づけるか、同一線上に配列するよう支柱２が支持する笠木１と下枠４間で該竪格子３ａ、３ｂ、３ｃ・・・を偏芯させて挟持固定している。
【００２８】
尚、竪格子３ａ、３ｂ、３ｃ・・・の上端部は、前記笠木１の下部面に嵌着されるカバー部材８に適宜な間隔をもってビス等にて固着されていて、該カバー部材８を介して笠木１に一体化されている。更に、竪格子３ａ、３ｂ、３ｃ・・・の下端部は下枠４にビス等を介して固着されており、該竪格子３ａ、３ｂ、３ｃ・・・は笠木１と下枠４間で挟持固定された構成になっている。
【００２９】
斯くして、図４に於いて支柱２ａ、２ｂ、２ｃ・・・と竪格子３ａ、３ｂ、３ｃ・・・の関係を説明すると、例えば、全ての支柱２の見付寸法をＰｗ、見込み寸法をＰｄとし、また全て竪格子３の見付寸法をＢｗ、見込み寸法をＢｄと表示すると、本実施例１にあっては、アルミ押出型材の規格部材として、既に用意されている部材、即ち、支柱２にあっては、見付寸法Ｐｗ＝４２ｍｍ、見込み寸法Ｐｄ＝５０ｍｍの部材を使用し、竪格子３にあっては、見付寸法Ｂｗ＝４０ｍｍ、見込み寸法Ｂｄ＝２０ｍｍの部材を使用する。
【００３０】
前記、支柱２及び竪格子３の配列は、支柱２をも含めて、等間隔の割付ピッチＰ１、Ｐ２、Ｐ３、Ｐ４、・・・と構成して前記笠木１と下枠４間に挟持、固定する構造とした。
【００３１】
上記実施例においては、連続して配列される支柱２と竪格子３見付寸法が近似的に異なるが、該構成の竪格子手摺をマンション等のバルコニーに施工し、建物の屋外側より見ると前記支柱２が目立たなく、連続した竪格子からなる手摺に見える。
【００３２】
尚、前記実施例１の説明は、既製のアルミ押出型材を用いた簡易的構成であるが、支柱２の見付寸法Ｐｗと竪格子３の見付寸法Ｂｗを同一寸法にした新しいアルミ押出型材を製造して、本発明を実施することが、最良の形であることは、言うまでもない。
【００３３】
而して、本発明は、笠木１と下枠４を支柱２の芯上で納める、所謂、芯納まりの型式を取り、支柱２の見付寸法Ｐｗと竪格子３の見付寸法Ｂｗは近似または同一寸法の部材を選別して配列し、該竪格子３の見込み寸法Ｂｄは前記見付寸法Ｂｗより小さい平角形状となし、該竪格子３の見付面６は前記支柱２の見付面７に限りなく近づけるか、同一線上に配列するよう支柱２が支持する笠木１と下枠４間で該竪格子３を偏芯させて挟持固定し、前記竪格子３を挟持固定する割付ピッチＰ１、Ｐ２、Ｐ３・・・は前記支柱２をも含めた均等割付とする構成とした竪格子手摺である。
【００３４】
【実施例２】
本発明の実施例２を図５及び図６に基づき説明する。図５は本実施例２の姿図を示す正面図、図６は図５の要部側断面図を示している。図５及び図６において、図１乃至図４と同一符号は同一構成要素を示しており、１は笠木、２ａ、２ｂは支柱、３ａ、３ｂ、３ｃ・・・は竪格子、４は下枠、５はコンクリートスラブを示している。
【００３５】
実施例２は、図６に示す下枠４の形状に関するものであり、該下枠４は、屋外側見付面に嵌着可能な化粧カバー材９を設けた。該化粧カバー材９は下枠４に嵌合部１０を形成して、該嵌合部１０に前記化粧カバー材９を嵌着することにより前記支柱２ａ、２ｂと下枠４が交差する部分を含め下枠４を支柱２ａ、２ｂ、に対して横通し構造部１１ａ、１１ｂとすることが出来る。図５は前記下枠４の横通し構造部１１ａ、１１ｂを示し、下枠４を横通しとすることにより、笠木１と下枠４で挟持固定している竪格子３ａ、３ｂ、３ｃ・・・の連続性を強調出来る構成を提供した。
【００３６】
斯くして、本発明は芯納まりの竪格子手摺に於いて、支柱２ａ、２ｂ、２ｃ・・・の見付寸法Ｐｗと竪格子３ａ、３ｂ、３ｃ・・・の見付寸法Ｂｗは近似または同一寸法の部材を選別して配列し、該竪格子３ａ、３ｂ、３ｃ・・・の見付面６は前記支柱２ａ、２ｂ、２ｃ・・・の見付面７に限りなく近づけるよう支柱２ａ、２ｂ、２ｃ・・・が支持する笠木１と下枠４間で挟持する構成とした。
【００３７】
また、本発明は、支柱２ａ、２ｂ、２ｃ・・・の見付寸法Ｐｗと竪格子３ａ、３ｂ、３ｃ・・・の見付寸法Ｂｗは近似または同一寸法の部材を選別して配列し、該竪格子３ａ、３ｂ、３ｃ・・・の見込み寸法Ｂｄは前記見付寸法Ｂｗより小さく平角形状となし、該竪格子３ａ、３ｂ、３ｃ・・・の見付面６は前記支柱２ａ、２ｂ、２ｃ・・・の見付面７に限りなく近づけるよう支柱２ａ、２ｂ、２ｃ・・・が支持する笠木１と下枠４間で挟持固定する構成とした。
【００３８】
更に、本発明は、支柱２ａ、２ｂ、２ｃ・・・の見付寸法Ｐｗと竪格子３ａ、３ｂ、３ｃ・・・の見付寸法Ｂｗは近似または同一寸法の部材を選別して配列し、該竪格子３ａ、３ｂ、３ｃ・・・の見込み寸法Ｂｄは前記見付寸法Ｂｗより小さい平角形状となし、該竪格子３ａ、３ｂ、３ｃ・・・の見付面６は前記支柱２ａ、２ｂ、２ｃ・・・の見付面７に限りなく近づけるよう支柱２ａ、２ｂ、２ｃ・・・が支持する笠木１と下枠４
間で偏芯させて挟持固定し、前記竪格子３ａ、３ｂ、３ｃ・・・を挟持固定する割付ピッチＰ１、Ｐ２、Ｐ３・・・は前記支柱２ａ、２ｂ、２ｃ・・・をも含めた均等割付とする構成とした。
【００３９】
而して、本発明の実施例２は、支柱２ａ、２ｂ、２ｃ・・・の見付寸法Ｐｗと竪格子３ａ、３ｂ、３ｃ・・・の見付寸法Ｂｗは近似または同一寸法の部材を選別して配列し、該竪格子３ａ、３ｂ、３ｃ・・・の見込み寸法Ｂｄは前記見付寸法Ｂｗより小さい平角形状となし、該竪格子３ａ、３ｂ、３ｃ・・・の見付面６は前記支柱２ａ、２ｂ、２ｃ・・・の見付面７に限りなく近づけるよう支柱２ａ、２ｂ、２ｃ・・・が支持する笠木１と下枠４間で偏芯させて挟持固定し、前記竪格子３ａ、３ｂ、３ｃ・・・を挟持固定する割付ピッチＰ１、Ｐ２、Ｐ３・・・は前記支柱２ａ、２ｂ、２ｃ・・・をも含めた均等割付となし、前記下枠４の屋外側見付面に嵌着可能な化粧カバー材９を設け、該化粧カバー材９を下枠４全面に嵌着することにより前記支柱２ａ、２ｂ、２ｃ・・・と下枠４が交差する部分を含め下枠４を支柱２ａ、２ｂ、２ｃ・・・に対して横通し構造とした竪格子手摺を提供することが出来た。
【００４０】
【発明の効果】
本発明は、上記構成とすることにより、マンション等のバルコニーや廊下手摺に用いられ、建物外部側より見ると、竪格子を支持固定するための支柱が、目立たず、支柱と竪格子が連続して見える竪格子手摺を提供することが出来た。
【００４１】
また本発明は、笠木及び下枠を支柱の中心線上に配置する、芯納まりの手摺とすることにより、従来例の如く、笠木の屋内側縁部よりジョイントや支柱等の障害物を屋内側に突出することがなく、バルコニーや廊下側空間を有効に使用できる竪格子手摺を提供することを可能にした。
【００４２】
更に、本発明は、竪格子部材として平角形状部材を用い、該平角形状部材の大寸法側を見付面に用い、小寸法側を見込み面として用いて、前記笠木と下枠間で挟持する際に、該竪格子の見付面を支柱の見付面に限りなく近づけるように前記笠木と下枠間で屋外側に偏芯させて挟持、固定することにより、バルコニーや廊下側を広く設定出来る竪格子手摺を提供することが出来た。
【図面の簡単な説明】
【図１】本発明の実施例１を示す正面図である。
【図２】図１の側断面を示す説明図である。
【図３】図２の拡大側断面図である。
【図４】図１の要部平断面拡大図である。
【図５】本発明の実施例２を示す姿図である。
【図６】図５の要部側断面図である。
【図７】従来例を説明する正面図である。
【図８】図７の側断面図である。
【図９】図７の平断面図である。
【符号の説明】
１  笠木
２ａ、２ｂ、２ｃ・・・  支柱
３ａ、３ｂ、３ｃ・・・  竪格子
４  下枠
５  コンクリートスラブ
６  竪格子見付面
７  支柱見付面
８  カバー部材
９  化粧カバー材
１０  嵌合部
１１ａ、１１ｂ  横通し構造部
Ｐｗ  支柱見付寸法
Ｐｂ  支柱見込み寸法
Ｂｗ  竪格子見付寸法
Ｂｄ  竪格子見込み寸法
Ｐ１、Ｐ２、Ｐ３・・・  割付ピッチ
５０  笠木
５１  支柱
５２  竪格子ユニット
５３  ジョイント
５４  ブラケット
５５  上横桟
５６  下横桟
５７  格子部材
【図１】
2004316236.tif 000003
【図２】
2004316236.tif 000004
【図３】
2004316236.tif 000005
【図４】
2004316236.tif 000006
【図５】
2004316236.tif 000007
【図６】
2004316236.tif 000008
【図７】
2004316236.tif 000009
【図８】
2004316236.tif 000010
【図９】
2004316236.tif 000011